(57)【要約】【課題】自動販売機等の利用者が紙幣投入口を見つけることが容易で、これにより操作性が向上した紙幣識別機を提供する。【解決手段】紙幣投入口３を構成する一対のシュート部材１２、１３のうち、紙幣投入口３を形成している一方のシュート部材１２に投入口照明手段１４を配設して紙幣投入口３を照明し、紙幣投入口３を形成している他方のシュート部材１３に反射部材１５を配設し、該反射部材１５が投入口照明手段１４からの照明光Ｂを反射するとともに紙幣投入口３から入る外乱光Ａも反射するようにした。【選択図】図１
2006012051.tif 000002
【特許請求の範囲】
【請求項１】
紙幣投入口を構成する一対のシュート部材のうち、前記紙幣投入口を形成している一方のシュート部材に投入口照明手段を配設して前記紙幣投入口を照明し、前記紙幣投入口を形成している他方のシュート部材に反射部材を配設し、該反射部材が前記投入口照明手段からの照明光を反射するとともに前記紙幣投入口から入る外乱光も反射するようにしたことを特徴とする紙幣識別機。
【請求項２】
前記反射部材は、入射した光を乱反射させる反射板であることを特徴とする請求項（１）記載の紙幣識別機。
【請求項３】
前記反射部材はホログラムシートであることを特徴とする請求項（１）記載の紙幣識別機。
【発明の詳細な説明】
【技術分野】
【０００１】
本発明は、自動販売機、両替機、パチンコ玉貸機、メタル貸機等（以下、「自動販売機等」という。）に使用される紙幣識別機に関するものである。
【背景技術】
【０００２】
一般に紙幣（クーポン券等を含む）を取り扱う自動販売機等の機器本体内には、挿入された紙幣の真偽を判別するとともに、真券と見なされた紙幣のみを蓄積収容するようにした紙幣識別機が装着されている。
【０００３】
この紙幣識別機は、装置本体と、該装置本体の正面にネジ止め固定されるフロントマスクとから構成されており、このうちのフロントマスクは、図示せぬ自動販売機等の正面を構成する扉に形成されたフロントマスク取付孔から外部へ露出するように取付けられるものである。
【０００４】
また、フロントマスクには、紙幣投入口が形成されており、該紙幣投入口を構成する一対のシュートのうち一方のシュートには、紙幣投入口を照射する投入口照明手段が配設されている。
【０００５】
この投入口照明手段は、通常、発光ダイオード（フロントランプとも呼ばれている。）から構成されており、上記発光ダイオードが光ることによって、紙幣投入口を照らし、これにより紙幣識別機の紙幣投入口の位置を明確にする、或いは紙幣識別機が動作中であることを知らせるという目的で配設されたものである。  
しかし、この発光ダイオードを具えた従来の紙幣識別機では、発光ダイオードが単に光ることにより紙幣識別機の紙幣投入口を照らすものであるため、その光量が少なく、紙幣投入口はあまり目立つものではなかった。
【０００６】
また近年、自動販売機等が商品サンプルケースや購入ボタンなどを目立たせる方向に推移してきたが、この影響で、紙幣選別装置の紙幣投入口が、その周辺に比べ目立たなくなってきた。
【０００７】
このように紙幣選別機の紙幣投入口が目立たないと、この紙幣識別機を具えた自動販売機等を利用する者が、紙幣投入口を見つけることが困難であり、これにより操作性が悪いという欠点があった。
【０００８】
そこで、この欠点を改良するため、従来の紙幣識別機には、上記発光ダイオードを透明樹脂で覆うようにした紙幣識別機が提案されている（例えば特許文献１参照。）。
【０００９】
このように発光ダイオード自体を透明樹脂で覆った従来の紙幣識別機では、当該発光ダイオードから放出された光が透明樹脂を介して紙幣投入口に照射され該紙幣投入口の外部に放出されるので、透明樹脂で覆うことなしに単に発光ダイオードを配設した従来の紙幣識別機に比べて、紙幣投入口を照射して紙幣投入口の外部に放出する光量が増加し、そのため、この紙幣識別機を具えた自動販売機等を利用する者が紙幣投入口を見つけることが可及的に容易になって、これにより操作性が向上する。
【特許文献１】実公平０５−３０２１５号公報
【特許文献２】実公平０５−３０２１６号公報
【特許文献３】特開昭６０−６１８８１号公報
【特許文献４】実開昭５５−７８２７５号公報
【発明の開示】
【発明が解決しようとする課題】
【００１０】
上述した従来の紙幣識別機では、投入口照明手段を、透明樹脂で覆われた発光ダイオードから構成し、これにより当該投入口照明手段から放出された光を透明樹脂を介し紙幣投入口に照射して該紙幣投入口の外部に放出するようにしているから、紙幣投入口を照射して該紙幣投入口の外部に放出する光量が依然として少なく、そのため、この従来の紙幣処理装置を具えた自動販売機等を利用する者が紙幣投入口を見つけることが困難で、これにより操作性が依然として悪いという問題があった。
【００１１】
上述した事情に鑑み、本発明は、自動販売機等の利用者が紙幣投入口を見つけることが容易で、これにより操作性が向上した紙幣識別機を提供することを目的とする。
【課題を解決するための手段】
【００１２】
上述した課題を解決するため、紙幣投入口を構成する一対のシュート部材のうち、前記紙幣投入口を形成している一方のシュート部材に投入口照明手段を配設して前記紙幣投入口を照明し、前記紙幣投入口を形成している他方のシュート部材に反射部材を配設し、該反射部材が前記投入口照明手段からの照明光を反射するとともに前記紙幣投入口から入る外乱光も反射するようにしたことを特徴としている。
【発明の効果】
【００１３】
本発明の紙幣処理装置は、紙幣投入口を構成する一対のシュート部材のうち、前記紙幣投入口を形成している一方のシュート部材に投入口照明手段を配設して前記紙幣投入口を照明し、前記紙幣投入口を形成している他方のシュート部材に反射部材を配設し、該反射部材が前記投入口照明手段からの照明光を反射するとともに前記紙幣投入口から入る外乱光も反射するようにしたから、従来の紙幣識別機に比し、紙幣投入口に照射され該紙幣投入口の外部に放出される光量が増加し、そのため紙幣投入口が明るくなり、これにより、紙幣処理装置を具えた自動販売機等を利用する者が紙幣投入口を見つけることがより容易になる。そのため、操作性が一層向上する。
【発明を実施するための最良の形態】
【００１４】
以下、この発明に係わる紙幣識別機の実施例を詳述する。
【実施例１】
【００１５】
図１は、この発明に係わる第一実施例の紙幣識別機の概念断面図である。  
また、図２は、図１の紙幣識別機の概念正面図である。また、図３は、図１の紙幣識別機の要部破断拡大図である。なお、図２及び図３では、図１と同一部分を同一符号で示している。
【００１６】
第一の実施例の紙幣選別装置１は、矩形状の装置本体２と、該装置本体２の正面にネジ止め固定されるフロントマスク１１から構成されており、このうちのフロントマスク１１は、一対のシュート部材１２、１３から構成されている。またフロントマスク１１には、一対のシュート部材１２、１３によって紙幣投入口３が形成されている。なお、このフロントマスク１１は、紙幣投入口３が、図示せぬ自動販売機等の正面を構成する扉に形成されたフロントマスク取付孔から外部へ露出するように取付けられるものである。
【００１７】
また、一対のシュート部材１２、１３のうち一方のシュート部材１２には、投入口照明手段１４が配設されている。この投入口照明手段１４は、発光ダイオード１４ａから構成されている。また、この投入口照明手段１４は、略鉛直方向下向きに光が放出されるように配置される。  
なお、符号１２ａは、一方のシュート部材１２に形成された孔であり、投入口照明手段１４の照明光Ｂを反射部材１５（後述）に案内させるための孔である。
【００１８】
また、他方のシュート部材１３は、透明樹脂から構成されている。また、この他方のシュート部材１３には、紙幣投入口３を形成している傾斜部分１３ａに、反射部材１５が配設されている。また、この傾斜部分１３ａは、投入口照明手段１４から放出される鉛直方向下向きの光が反射部材１５に入射された際、該略水平な紙幣挿入口３に向け反射されるように傾斜して形成されている。  
また、図３で示すように、反射部材１５は、他方のシュート部材１３の傾斜部分１３ａの表面１３ｂ及び裏面１３ｃのうち、傾斜部分１３ａの裏面１３ｃに配設された反射板から構成されている。また、この反射板は、ホログラムシート１５ａから構成されており、該反射板は、傾斜部分１３ａの裏面１３ｃに貼着されている。  
なお、図１及び図３では発明の内容を理解しやすくするため、ホログラムシート１５ａが面１３ｃに貼着されている様子を概略で示している。
【００１９】
また、図１で示すように、フロントマスク１１には、紙幣投入口３に連通する紙幣案内通路１６が配設されており、該紙幣案内通路１６は装置本体２内まで延設されている。
【００２０】
また、装置本体２内の紙幣案内通路１６には、紙幣投入口３から挿入された紙幣を当該紙幣案内通路１６に沿って案内する紙幣搬送手段２０と、その案内途中で紙幣の真偽を識別する図示せぬ真偽識別センサが配設されている。また、紙幣案内通路１６の終端には、紙幣をスタッカに移動させるパンタグラフからなる紙幣移動手段２２が配設されている。
【００２１】
なお、紙幣搬送手段２０は、搬送モータ１７と、該搬送モータの駆動により紙幣を搬送する搬送ベルト１８と、搬送ベルトに対向するローラ１９とから構成されている。
【００２２】
このような構成の紙幣識別機１では、紙幣投入口３に紙幣が投入されると、紙幣投入口３に配置された図示せぬ紙幣検出センサにより、紙幣の投入が検知され、これに基づき紙幣搬送手段２０が駆動する。そのため、投入された紙幣は紙幣搬送手段２０により紙幣搬送路１６に沿って装置本体２内に案内される。そして該投入紙幣が上記真偽識別センサに達すると、該真偽識別センサにより紙幣の真偽が判断される。ここで投入紙幣が偽券であると判断されると、紙幣搬送手段２０を逆駆動して紙幣投入口３から紙幣を排出する。  
一方、投入紙幣が真券であると判断されると、紙幣搬送手段２０の駆動を継続して投入紙幣を紙幣搬送路１６の終端まで案内し、その後、紙幣移動手段２２を駆動して投入紙幣をスタッカ２３内に収容する。
【００２３】
また、この紙幣選別機１が紙幣投入を待つ待機状態において、紙幣投入口３には、太陽光や蛍光灯等の照明光Ａ（以下、「外乱光」という。）が紙幣投入口３の外部から入るとともに、投入口照明手段１４である発光ダイオード１４ａが紙幣投入口３を照明する。
【００２４】
そのため、外乱光Ａが、透明樹脂からなる他方のシュート部材１３の上記傾斜部分１３ａを介し、ホログラムシート１５ａに到達するとともに、発光ダイオード１４ａから略鉛直方向に放出された照明光Ｂが、透明樹脂からなる他方のシュート部材１３の傾斜部分１３ａを介し、ホログラムシート１５ａに到達する。
【００２５】
すると、ホログラムシート１５ａが、発光ダイオード１４ａから略鉛直方向に放出されてホログラムシート１５ａに到達した照明光Ｂを反射するとともに、紙幣投入口３から入ってホログラムシート１５ａに到達した外乱光Ａを反射する。  
このように上記外乱光Ａと照明光Ｂとを反射した際、傾斜部分１３ａを介して紙幣投入口３を照射し、該紙幣投入口３の外部に放出される反射光を符号Ｃで図示している。
【００２６】
また、このように発光ダイオード１４ａからの照明光Ｂと外乱光Ａとが反射部材１５により反射されると、反射光Ｃの光量、すなわち、紙幣投入口３を照射し該紙幣投入口３の外部に放出される光量が、発光ダイオード１４ａの照明光Ｂのみを反射する従来の紙幣識別機に比べて増加する。  
そのため、紙幣投入口３が明るくなって、この紙幣識別機１を具えた自動販売機等を利用する者が紙幣投入口３を見つけることが容易になり、これにより操作性が向上する。
【００２７】
なお、上記した外乱光Ａとは、例えば太陽光／自動販売機等自身の光（商品陳列部の照明）や街灯／屋内の蛍光灯等の照明手段から発せられる光をいう。したがって、本発明によれば、暗いところに設置された自動販売機等や、夜間等において、紙幣投入口３が何処にあるのか分かりづらい場合にも、投入口照明手段１４のほかに、自動販売機自身が発光している光や、街の街灯の明かり等も反射するから、紙幣投入口３から発せられる光量を増加させて少ない照明手段で、紙幣投入口を分かりやすく案内することができる。
【００２８】
すなわち、上述したように紙幣投入口３を見つけることが容易になって操作性が向上するという作用効果は、暗いところに自動販売機等を設置する場合や、夜間に自動販売機を夜間に利用する場合に特に有効である。なお自動販売機等利用する者が不慣れである場合にも有効である。
【００２９】
また、さらに第一実施例の紙幣識別機１では、傾斜部分１３ａを透明樹脂からなる構成するとともに、該傾斜部分１３ａの裏面１３ｃに配設される反射部材１５を、入射した光を乱反射するホログラムシート１５ａから構成することとし、これにより反射部材１５が照明光Ｂと外乱光Ａとを傾斜部分１３ａを介して虹色に乱反射させるようにしている。そのため、紙幣投入口３を照射し該紙幣投入口３の外部に放出される光量が、通常の反射（乱反射以外の反射）を行わせる反射部材１５を用いた紙幣識別機に比べて増加する。そのため、紙幣投入口３が一層明るくなって、この紙幣識別機１を具えた自動販売機等を利用する者が紙幣投入口３を見つけることが更に容易になり、これにより操作性が一層向上する。
【００３０】
なお、この第一実施例の紙幣識別機１では、反射部材１５を、入射した光を乱反射する反射板をホログラムシート１５ａから構成したが、反射部材１５は、ホログラムシート１５ａ以外の、入射した光を乱反射する反射板から構成されていれば、上記したホログラムシート１５ａを用いた場合と同様に、紙幣投入口３を照射し該紙幣投入口３の外部に放出される光量がさらに増加し、この紙幣識別機１を具えた自動販売機等を利用する者が紙幣投入口３を見つけることが更に容易になり、これにより一層操作性が向上する。
【００３１】
また、この第一実施例の紙幣識別機１では、傾斜部分１３ａの裏面１３ｃに配設される反射部材１５を、入射した光を乱反射する反射板から構成することとしたが、傾斜部分１３ａの裏面１３ｃに配設される反射部材１５は、入射した光を乱反射するものでなくてもよく、投入口照明手段１４からの照明光Ｂと外乱光Ａとを透明樹脂を介して反射させる部材から構成されていればよい。例えば、傾斜部分１３ａの裏面１３ｃに配設される反射部材１５は、投入口照明手段１４からの照明光Ｂと外乱光Ａとを反射する通常の反射板、すなわち入射した光を反射（乱反射以外の反射）する反射板から構成されていてもよい。
【００３２】
また、一般的に紙幣識別機では、紙幣投入口３から放出される光量を増加させて紙幣投入口３を見つけやすくするために、投入口照明手段１４の発光ダイオード１４ａの光量を増加させる等の電気的手法を採ることが考えられる。しかし、当該電気的手法を採ると電力量を増加させることなって動作コストが高くなる。その一方、この第一実施例の紙幣識別機１では、投入口照明手段１４の発光ダイオード１４ａからの照明光Ｂと外乱光Ａとを反射部材１５により反射するようにして、紙幣投入口３を照射し紙幣投入口３の外部に放出される光量を増加させるから、電気的手法を採った場合に比し、電力量を少なくでき、これにより動作コストを低くすることができる。
【００３３】
なお、この第一実施例の紙幣識別機１では、反射部材１５を傾斜部分１３ａの裏面１３ｂに貼着することとしたが、反射部材１５を傾斜部分１３ａの裏面１３ｃに配設する方法は貼着に限られず、たとえば、他方のシュート１３の裏面１３ｃに埋設するようにしてもよい。
【００３４】
また、この第一実施例の紙幣識別機１では、反射部材１５を、他方のシュート部材１３の傾斜部分１３ａの表面１３ｂ及び裏面１３ｃのうち、傾斜部分１３ａの裏面１３ｃに配設されたものとしたが、反射部材１５は、傾斜部分１３ａの表面１３ｂに配設されたものであってもよい。
【実施例２】
【００３５】
図４は、この発明に係わる第二実施例の紙幣識別機の要部概念破断面図であって、図１乃至図３と同一部分を同一符号で示している。
【００３６】
この他方のシュート部材１３の上記傾斜部分１３ａには反射部材１５が配設されているが、この反射部材１５は、上記傾斜部分１３ａの表面１３ｂに配設された反射板から構成されている。また、この反射板は、ホログラムシート１５ａから構成されており、また傾斜部分１３ａの表面１３ｂに貼着されている。
【００３７】
上記した反射部材１５の配設面以外の構成は、上述した第一実施例の紙幣識別機と同一である。
【００３８】
この第二実施例の紙幣識別機４１では、反射部材１５が外乱光Ａと照明光Ｂとを反射するから、照明光Ｂのみを反射する従来の紙幣識別機に比し、紙幣投入口３を照射し該紙幣投入口３の外部に放出される反射光Ｃの光量が増加して紙幣識別機５１を具えた自動販売機等を利用する者が紙幣投入口３を見つけることが容易になり、これにより操作性が向上することは、第一実施例の紙幣識別機１と同様である。
【００３９】
なお、第二実施例の紙幣識別機４１では、反射部材１５を上記傾斜部分１３ａの表面１３ｂに配設することとし、これにより反射部材１５が照明光Ｂと外乱光Ａとを傾斜部分１３ａを介することなく直接反射させ、紙幣投入口３を照射し紙幣投入口３の外部に放出する構造であるから、上記した第一実施例の紙幣識別機１のように、紙幣投入口３を見つけやすくして操作性を向上させる効果を得るために上記傾斜部分１３ａを透明樹脂から構成することは必ずしも必要ではない。
【００４０】
また、この第二実施例の紙幣識別機４１では、反射部材１５を、他方のシュート部材１３の傾斜部分１３ａの表面１３ｂに配設するものとしたから、投入口照明手段１４を具えた従来の紙幣識別機に、反射部材１５を配設する加工作業を行うことができ、これにより反射部材１５を傾斜部分１３ａの裏面１３ｃに配設する第一実施例の紙幣識別機１（図３）に比べ、紙幣投入口３を見つけることが容易で操作性のよい紙幣識別機を製造する作業を容易に行うことができる。
【００４１】
また、この第二実施例の紙幣識別機４１では、電気的手法を採った場合に比し、電力量を少なくでき、これにより動作コストを低くすることができることは第一実施例の紙幣識別機１と同様である。
【００４２】
なお、この第二実施例の紙幣識別機４１では、反射部材１５を傾斜部分１３ａの表面１３ｂに貼着することとしたが、反射部材１５を傾斜部分１３ａの表面１３ｂに配設する方法は貼着に限られず、たとえば、他方のシュート１３の表面１３ａに埋設するようにしてもよい。
【００４３】
また、この第二実施例の紙幣識別機４１では、傾斜部分１３ａの表面１３ｂに配設される反射部材１５を入射した光を乱反射する反射板から構成したが、傾斜部分１３ａの表面１３ｂに配設されるこの発明の紙幣識別機の反射部材は、反射部材１５を入射した光を乱反射する反射板から構成されていなくてもよく、投入口照明手段１４からの照明光Ｂと外乱光Ａとを反射させる部材から構成されていればよい。例えば、傾斜部分１３ａの表面１３ｂに配設される反射部材１５は、投入口照明手段１４からの照明光Ｂと外乱光Ａとを反射する通常の反射板、すなわち入射した光を反射（乱反射以外の反射）する反射板から構成されていてもよい。
【実施例３】
【００４４】
図５は、この発明に係る第三実施例の紙幣識別機の要部概念破断面図であり、図１乃至図４と同一部分を同一符号で示したものである。  
この第三の実施例の紙幣識別機５１では、反射部材１５は、通常の反射板、すなわち入射した光を反射（乱反射以外の反射をいう。）する反射板から構成されており、この反射板は、入射した光を反射（乱反射以外の反射をいう。）する反射シート１５ｂ（以下、単に「反射シート」という。）から構成されている。
【００４５】
また、この反射シート１５ｂは、他方のシュート部材１３の上記傾斜部分１３ａに配設されており、また該反射シート１５ｂは、傾斜部分１３の裏面１３ｃに貼着されている。
【００４６】
また、他方のシュート部材１３は、上記傾斜部分１３ａを含め、半透明の樹脂（例えば乳半白色の樹脂）から構成されている。
【００４７】
この紙幣選別機５１の待機状態において、紙幣投入口３には、外乱光Ａが紙幣投入口３から入るとともに、投入口照明手段１４である発光ダイオード１４ａが紙幣投入口３を照明する。
【００４８】
そのため、外乱光Ａが、半透明の樹脂（例えば乳半白色の樹脂）からなる上記傾斜部分１３ａを介し、反射シート１５ｂに到達するとともに、発光ダイオード１４ａから略鉛直方向に放出された照明光Ｂが、半透明の樹脂（例えば乳半白色の樹脂）からなる傾斜部分１３ａを介し、反射シート１５ｂに到達する。
【００４９】
すると、反射シート１５ｂが、発光ダイオード１４ａから略鉛直方向に放出されて反射シート１５ｂに到達した照明光Ｂを反射するとともに、紙幣投入口３から入って反射シート１５ｂに到達した外乱光Ａを反射する。
【００５０】
またこのように照明光Ｂと外乱光Ａとを反射して生じた反射光は、半透明の樹脂（例えば乳半白色の樹脂）からなる傾斜部分１３aに到達し、該傾斜部分１３ａの半透明の樹脂（例えば乳半白色の樹脂）内部で乱反射され、該樹脂全体がぼんやりと光る。
【００５１】
なお、符号Ｄは、反射板１５ｂによる反射光が上記傾斜部分１３ａの半透明の樹脂（例えば乳半白色の樹脂）によって乱反射されて紙幣投入口３を照射し該紙幣投入口３の外部に放出された光を図示したものである。
【００５２】
この第三実施例の紙幣識別機５１では、傾斜部分１３ａを、半透明の樹脂（例えば乳半白色の樹脂）から構成するとともに、反射部材１５を反射シート１５ｂから構成することとし、これにより反射シート１５ｂにより外乱光Ａと照明光Ｂとを反射して生じた反射光を、半透明の樹脂（例えば乳半白色の樹脂）からなる傾斜部分１３ａにより乱反射させて紙幣投入口３を照射し紙幣投入口３の外部に放出させるようにしている。そのため、照明光Ｂのみを反射する従来の紙幣識別機に比して、紙幣投入口３を照射し該紙幣投入口３の外部に放出される反射光Ｄの光量が増加して紙幣投入口３が明るくなるので、この紙幣識別機１を具えた自動販売機等を利用する者が紙幣投入口３を見つけることが容易になり、これにより操作性が向上する。  
また、この第三実施例の紙幣識別機５１では、傾斜部分１３ａを、半透明の樹脂（例えば乳半白色の樹脂）から構成することで、外乱光Ａと照明光Ｂとを直接反射する場合に生じ得る、紙幣投入口３を照射し該紙幣投入口３の外部に放出される反射光が眩しすぎたり、ぎらぎらして自動販売機等の利用者（ユーザー）が不快に感じることがないように、上記半透明の樹脂で、反射する光の量を調整するとともに、半透明の樹脂（例えば乳半白色の樹脂）内で乱反射した光でぼんやりと紙幣投入口３の下部全体を光らせることができる。
【００５３】
またさらに、第三実施例の紙幣識別機５１では、他方のシュート部材１３の傾斜部分１３ａを半透明の樹脂（例えば乳半白色の樹脂）から構成するとともに、反射部材１５をホログラムシート１５ａのような特殊シートではなく反射シート１５ｂから構成することとし、これにより紙幣投入口３を見つけることが容易で操作性のよい紙幣識別機を製造できるから、特殊シートを配設しない分、当該紙幣識別機を安価に製造できる。
【００５４】
また、この第三実施例の紙幣識別機５１では、反射部材１５を反射シート１５ｂから構成するとともに、上記傾斜部分１３ａを半透明の樹脂（例えば乳半白色の樹脂）から構成し、これにより反射シート１５ｂにより反射した反射光をさらに乱反射させるととしたが、反射シート１５ｂによる反射光をさらに乱反射させるための上記傾斜部分１３ａの材質は半透明の樹脂（例えば乳半白色の樹脂）に限定されず、上記傾斜部分１３ａは、例えば、曇りガラスのような樹脂から構成するようにしてもよい。
【００５５】
なお、この発明の紙幣識別機では、反射シート１５ｂに到達した光を乱反射させるため、当該傾斜部分１３ａを含む他方のシュート部材１３全体を半透明の樹脂（例えば乳半白色の樹脂）あるいは曇りガラスのような樹脂から構成する必要は必ずしもなく、少なくとも上記傾斜部分１３ａを半透明の樹脂（例えば乳半白色の樹脂）あるいは曇りガラスのような樹脂から構成されていればよい。
【００５６】
なお、この第三実施例の紙幣識別機５１では、反射部材１５を傾斜部分１３ａの裏面１３ｃに貼着することとしたが、反射部材１５を傾斜部分１３ａの裏面１３ｃに配設する方法は貼着に限られず、たとえば、他方のシュート１３の裏面１３ｂに埋設するようにしてもよい。
【実施例４】
【００５７】
図６は、この発明に係る第四実施例の紙幣識別機の要部概念破断面図である。  
この第四実施例の紙幣識別機６１では、他方のシュート部材１３の上記傾斜部分１３ａに代え、該傾斜部分１３ａの位置に、反射部材１５が配設されている。
【００５８】
この反射部材１５は、通常の反射板、すなわち入射した光を反射（乱反射以外の反射をいう。）する反射板から構成されており、この反射板は、入射した光を反射（乱反射以外の反射をいう。）する反射板１５ｃ（以下、単に「反射板」という。）から構成されている。
【００５９】
また、この反射板１５ｃは、他方のシュート部材１３の傾斜部分１３ａ（図１）と同一厚に形成されている。またこの反射板１５ｃは、投入口照明手段１４から放出される鉛直方向下向きの光が入射された際、該光が略水平な紙幣挿入口３に向け反射されるように傾斜して形成されている。
【００６０】
この紙幣選別機６１の待機状態において、紙幣投入口３には、外乱光Ａが紙幣投入口３の外部から入るとともに投入口照明手段１４である発光ダイオード１４ａが紙幣投入口３を照明する。
【００６１】
そのため、外乱光Ａが反射板１５ｃに到達するとともに、発光ダイオード１４ａから略鉛直方向に放出された照明光Ｂが、反射板１５ｃに到達する。
【００６２】
すると、反射板１５ｃが、発光ダイオード１４ａから略鉛直方向に放出されて反射板１ｃに到達した照明光Ｂを反射するとともに、紙幣投入口３から入って反射板１５ｃに到達した外乱光Ａを反射する。
【００６３】
したがって、この外乱光Ａと照明光Ｂとを反射した際に紙幣投入口３を照射し、該紙幣投入口３の外部に放出される反射光Ｃの光量が、照明光Ｂのみを反射する従来の紙幣識別機に比し増加する。そのため、紙幣識別機５１を具えた自動販売機等を利用する者が紙幣投入口３を見つけることが容易になり、これにより操作性が向上することは、第一実施例の紙幣識別機１乃至第三実施例の紙幣識別機５１と同様である。
【００６４】
また、この第四実施例の紙幣識別機６１では、紙幣投入口３を形成している他方のシュート部材１３の傾斜部分１３ａの位置に、該傾斜部分３ａに代えて反射部材１５を配設したから、第二実施例の紙幣識別機３１のように他方のシュート部材１３の表面１３ｂに反射部材１５を配設しているものに比べ、紙幣投入口３から紙幣を投入する動作を円滑に行うことができ、また当該動作によって反射部材１５が損傷する虞を可及的に阻止できる。  
なお、上述した第一実施例の紙幣識別機１及び第三の紙幣識別機５１も反射部材１５が他方のシュート部材１３の表面１３ｂに配設されているものではないから、第四の実施例の紙幣識別機６１と同様に、紙幣投入動作を円滑に行うことができ、かつ当該動作による反射部材の損傷１５を可及的に阻止できる。
【００６５】
なお、上述した第一実施例の紙幣識別機１乃至第四実施例の紙幣識別機６１では、その投入口照明手段１４は待機状態において紙幣投入口３を照明するものとして説明したが、紙幣投入口３を照明する時期は、紙幣識別機の動作中にも紙幣投入口３を照明するものであってもよいし、また特定の動作中に紙幣投入口３を照明するものであってもよい。また、投入口照明手段１４は、待機状態と紙幣識別機の特定の動作中に紙幣投入口３を照明するものであってもよい。
【００６６】
なお、上述した第一実施例の紙幣識別機１乃至第三実施例の紙幣識別機５１は、反射部材１５をシート状の反射板から構成したが、この発明の紙幣識別機における反射部材１５は、第四実施例の紙幣識別機６１で示したように、シート状の反射板に限定されない。また、上述した第一の実施例の紙幣識別機１乃至第三実施例の紙幣識別機５１では、反射部材１５の上記傾斜部分１３ａへの配設方法も、反射部材１５を上記傾斜部分への貼着、あるいは埋設することとしたが、配設方法は貼着や埋設に限定されず、上記傾斜部分１３ａへの反射部材（例えば、アルミ）を蒸着するものや、反射部材１５のめっき塗布によって配設されるものであってもよい。
【００６７】
また、上述した第一実施例の紙幣識別機１乃至第四実施例の紙幣識別機６１では、投入口照明手段１４が配設される一方のシュート１２は上シュートであり、反射部材１５が配設される他方のシュート１３は下シュートである構成として説明したが、この発明の紙幣識別機はこの構成に限定されず、投入口照明手段１４が配設される一方のシュート１２は下シュートであり、反射部材１５が配設される他方のシュート１３は、上シュートである構成としてもよい。
【産業上の利用可能性】
【００６８】
本発明に係る紙幣識別機は、自動販売機等の機器本体内に配置される紙幣識別機として有用であり、特に、自動販売機等の利用者がその投入口を見つけることが容易で、これにより操作性を向上させる用途に適している。  
なお、この発明を自動販売機の機器本体内に配置される硬貨識別機について転用させることも可能である。すなわち、自動販売機の機器本体内に配設される硬貨選別機において、その硬貨投入口を構成する一対のシュートのうち、硬貨投入口を形成している一方のシュート部材に投入口照明手段を配設して紙幣投入口を照明し、紙幣投入口を形成している他方のシュート部材に反射部材を配設し、該反射部材が投入口照明手段からの照明光を反射するとともに硬貨投入口から入る外乱光も反射するようにすれば、自動販売機等の利用者が硬貨投入口を見つけることが容易で、これにより操作性を向上させることができる。
【図面の簡単な説明】
【００６９】
【図１】図１は、この発明に係わる第一の実施例の紙幣識別機の概念断面図である。
【図２】図２は、図１の紙幣識別機の概念正面図である。
【図３】図３は、図１の紙幣識別機の要部破断拡大図である。
【図４】図４は、この発明に係わる第二実施例の紙幣識別機の要部概念破断面図である。
【図５】図５は、この発明に係る第三実施例の紙幣識別機の要部概念破断面図である。
【図６】図６は、この発明に係る第四実施例の紙幣識別機の要部概念破断面図である。
【符号の説明】
【００７０】
１、４１、５１、６１…紙幣識別機
３…紙幣投入口
１２、１３…一対のシュート部材
１２…一方のシュート部材
１３…他方のシュート部材
１３ａ…紙幣投入口を形成する他方のシュート部材（傾斜部分）
１３ｂ…紙幣投入口を形成する他方のシュート部材の表面
１３ｃ…紙幣投入口を形成する他方のシュート部材の裏面
１４…投入口照明手段
１５…反射部材
１５ａ…ホログラムシート
１５ｂ…反射シート
Ａ…外乱光
Ｂ…投入口照明手段からの照明光
【図１】
2006012051.tif 000003
【図２】
2006012051.tif 000004
【図３】
2006012051.tif 000005
【図４】
2006012051.tif 000006
【図５】
2006012051.tif 000007
【図６】
2006012051.tif 000008
【手続補正書】
【提出日】平成16年8月4日(2004.8.4)
【手続補正１】
【補正対象書類名】図面
【補正対象項目名】全図
【補正方法】変更
【補正の内容】
【図１】
2006012051.tif 000009
【図２】
2006012051.tif 000010
【図３】
2006012051.tif 000011
【図４】
2006012051.tif 000012
【図５】
2006012051.tif 000013
【図６】
2006012051.tif 000014